(57)【要約】【課題】ギャップに起因する諸問題を解消又は軽減することができるリアクトルを提供する。【解決手段】このリアクトル１は、略トロイダル形状のコア３と、コア３の外周に設けられたコイル５，７とを備えて構成されており、ハイブリッド車又は電気自動車の駆動用の電源系統に用いられる。コア３は、環状に連なった環状体を周方向の２箇所で分割してなる２つの分割磁性体１１，１３を備え、その２つの分割磁性体１１，１３を環状に接着剤により接合して構成されており、ギャップを介挿しない構成となっている。分割磁性体１１，１３の材料としては、低透磁率及び低保磁力を実現すべく、また成形容易性の観点から、高異方性ナノ結晶材料等を用いた圧粉磁性材料が用いられている。【選択図】図１
2006344868.tif 000002
【特許請求の範囲】
【請求項１】
ハイブリッド車又は電気自動車の駆動用の電源系統に用いられるリアクトルであって、
圧粉磁性材料により形成され、ギャップが介挿されていない環状のコアと、
前記コアの外周に設けられたコイルと、
を備え、
前記コアは、環状に連なった環状体を周方向の２箇所で分割したような形態を有する２つの分割磁性体を備え、その２つの分割磁性体を環状に接合して構成されていることを特徴とするリアクトル。
【請求項２】
ハイブリッド車又は電気自動車の駆動用の電源系統に用いられるリアクトルであって、
環状のコアと、
前記コアの外周に設けられたコイルと、
を備え、
前記コアは、
圧粉磁性材料により形成され、環状に連なった環状体を周方向の２箇所で分割したような形態を有する２つの分割磁性体と、
前記２つの分割磁性体が環状に接合される際に、その接合部に介挿される１又は２つのギャップと、
を備えることを特徴とするリアクトル。
【請求項３】
請求項２に記載のリアクトルにおいて、
前記ギャップは、前記コアの前記コイルよって覆われる部分に介挿されていることを特徴とするリアクトル。
【請求項４】
請求項１に記載のリアクトルにおいて、
前記２つの分割磁性体が互いに当接される接合端部のうちの一方の分割磁性体の接合端部には、略ツバ状に外方に張り出すツバ部が形成され、
前記２つの分割磁性体の前記接合端部同士が当接する当接部の外周に接着剤が付与されることを特徴とするリアクトル。
【請求項５】
請求項２又は３に記載のリアクトルにおいて、
前記ギャップの断面サイズは、その両側の前記分割磁性体の端面のサイズよりも大きく設定され、
前記分割磁性体と前記ギャップとの当接部の外周に接着剤が付与されることを特徴とするリアクトル。
【請求項６】
請求項１ないし５のいずれかに記載のリアクトルにおいて、
前記コイルは、断面形状が略平角形の線材がエッジワイズに巻回されて構成されたものであることを特徴とするリアクトル。
【請求項７】
請求項１ないし５のいずれかに記載のリアクトルにおいて、
前記分割磁性体は略Ｊ形の平面形状を有することを特徴とするリアクトル。
【請求項８】
請求項１ないし７のいずれかに記載のリアクトルにおいて、
前記圧粉磁性材料としてナノ結晶材料が用いられていることを特徴とするリアクトル。
【請求項９】
圧粉磁性材料により形成され、ギャップが介挿されていない環状のコアと、
前記コアの外周に設けられた１次側及び２次側のコイルと、
を備え、
前記コアは、環状に連なった環状体を周方向の２箇所で分割したような形態を有する２つの分割磁性体を備え、その２つの分割磁性体を環状に接合して構成されていることを特徴とするトランス。
【請求項１０】
環状のコアと、
前記コアの外周に設けられた１次側及び２次側のコイルと、
を備え、
前記コアは、
圧粉磁性材料により形成され、環状に連なった環状体を周方向の２箇所で分割したような形態を有する２つの分割磁性体と、
前記２つの分割磁性体が環状に接合される際に、その接合部に介挿される１又は２つのギャップと、
を備えることを特徴とするトランス。
【発明の詳細な説明】
【技術分野】
【０００１】
本発明は、リアクトル及びトランスに関する。
【背景技術】
【０００２】
従来のリアクトルとしては、コア材料に珪素鋼板を用い、透磁率調節用のセラミック製のギャップを複数介挿したものがある（例えば、特許文献１）。このようなリアクトルでは、ハイブリッド車等の駆動電源系統の高出力に対応するためには、高透磁率の珪素鋼板製のコアの透磁率を下げ、コアを磁気飽和しにくくする必要があり、多数（例えば６箇所）のギャップを分散してコアに介挿している。
【０００３】
【特許文献１】特開２００４−９５５７０号公報
【発明の開示】
【発明が解決しようとする課題】
【０００４】
しかしながら、上記のような多数のギャップをコアに介挿する構成では、ギャップに起因する漏れ磁束が増加するという問題がある。漏れ磁束は、周辺回路に対するノイズ源になるとともに、周辺の導体に渦電流を誘発し、鉄損を増大させる原因となる。
【０００５】
また、多数のギャップを設ける構成では、コアを多数の部分に分割する必要があるため、コアの組立コストが嵩むとともに、駆動時に各ギャップ部においてギャップを挟んで両側の磁性体が例えば１０Ｈｚで引付け、開放を繰り返すことにより、振動、騒音が発生しやすいという問題もある。
【０００６】
そこで、本発明の解決すべき課題は、ギャップに起因する諸問題を解消又は軽減することができるリアクトル及びトランスを提供することである。
【課題を解決するための手段】
【０００７】
上記の課題を解決するため、請求項１の発明では、ハイブリッド車又は電気自動車の駆動用の電源系統に用いられるリアクトルであって、圧粉磁性材料により形成され、ギャップが介挿されていない環状のコアと、前記コアの外周に設けられたコイルとを備え、前記コアは、環状に連なった環状体を周方向の２箇所で分割したような形態を有する２つの分割磁性体を備え、その２つの分割磁性体を環状に接合して構成されている。
【０００８】
また、請求項２の発明では、ハイブリッド車又は電気自動車の駆動用の電源系統に用いられるリアクトルであって、環状のコアと、前記コアの外周に設けられたコイルとを備え、前記コアは、圧粉磁性材料により形成され、環状に連なった環状体を周方向の２箇所で分割したような形態を有する２つの分割磁性体と、前記２つの分割磁性体が環状に接合される際に、その接合部に介挿される１又は２つのギャップとを備える。
【０００９】
また、請求項３の発明では、請求項２の発明に係るリアクトルにおいて、前記ギャップは、前記コアの前記コイルよって覆われる部分に介挿されている。
【００１０】
また、請求項４の発明では、請求項１の発明に係るリアクトルにおいて、前記２つの分割磁性体が互いに当接される接合端部のうちの一方の分割磁性体の接合端部には、略ツバ状に外方に張り出すツバ部が形成され、前記２つの分割磁性体の前記接合端部同士が当接する当接部の外周に接着剤が付与される。
【００１１】
また、請求項５の発明では、請求項２又は３の発明に係るリアクトルにおいて、前記ギャップの断面サイズは、その両側の前記分割磁性体の端面のサイズよりも大きく設定され、前記分割磁性体と前記ギャップとの当接部の外周に接着剤が付与される。
【００１２】
また、請求項６の発明では、請求項１ないし５のいずれかの発明に係るリアクトルにおいて、前記コイルは、断面形状が略平角形の線材がエッジワイズに巻回されて構成されたものである。
【００１３】
また、請求項７の発明では、請求項１ないし５のいずれかの発明に係るリアクトルにおいて、前記分割磁性体は略Ｊ形の平面形状を有する。
【００１４】
また、請求項８の発明では、請求項１ないし７のいずれかの発明に係るリアクトルにおいて、前記圧粉磁性材料としてナノ結晶材料が用いられている。
【００１５】
また、請求項９の発明では、圧粉磁性材料により形成され、ギャップが介挿されていない環状のコアと、前記コアの外周に設けられた１次側及び２次側のコイルとを備え、前記コアは、環状に連なった環状体を周方向の２箇所で分割したような形態を有する２つの分割磁性体を備え、その２つの分割磁性体を環状に接合して構成されている。
【００１６】
また、請求項１０の発明では、環状のコアと、前記コアの外周に設けられた１次側及び２次側のコイルとを備え、前記コアは、圧粉磁性材料により形成され、環状に連なった環状体を周方向の２箇所で分割したような形態を有する２つの分割磁性体と、前記２つの分割磁性体が環状に接合される際に、その接合部に介挿される１又は２つのギャップとを備える。
【発明の効果】
【００１７】
請求項１に記載の発明によれば、材料の選択により透磁率の調節が比較的容易な圧粉磁性材料を用いてコアを形成することにより、ギャップのないコアを形成しているため、ギャップに起因する諸問題（漏れ磁束、高コスト化、騒音等）を解消することができる。
【００１８】
また、コアが環状に連なった環状体を周方向の２箇所で分割してなる２つの分割磁性体によって構成されているため、コアの構成部品を減らすことができ、コアの組み立て等も簡単に行うことができる。
【００１９】
請求項２に記載の発明によれば、材料の選択により透磁率の調節が比較的容易な圧粉磁性材料を用いてコアの磁性体部分を形成することにより、ギャップ挿入箇所を１又は２箇所に抑制したコアを形成しているため、ギャップに起因する諸問題（漏れ磁束、高コスト化、騒音等）を低減することができる。
【００２０】
また、コアの磁性体部分が環状に連なった環状体を周方向の２箇所で分割してなる２つの分割磁性体によって構成されているため、コアの構成部品を減らすことができ、コアの組み立て等も簡単に行うことができる。
【００２１】
また、ギャップの厚みを調節することにより、コアの透磁率の調節を容易に行うことができる。
【００２２】
請求項３に記載の発明によれば、ギャップがコアのコイルによって覆われる部分に介挿されているため、ギャップ介挿部での漏れ磁束を効果的に抑制することができる。
【００２３】
請求項４に記載の発明によれば、２つの分割磁性体の当接部の外周に接着剤を付与することにより、分割磁性体同士を接着する構成であるため、当接部に接着剤が介挿されることによる接着剤の厚み誤差の影響によるインダクタンスのばらつきを抑制できる。
【００２４】
また、互いに当接される分割磁性体の接合端部のうちの一方の接合端部にツバ部が形成されているため、接合端部同士の当接部近傍における接着剤の接着面積を拡大することができ、その結果接着が容易になり、接着強度も高くなる。
【００２５】
請求項５に記載の発明によれば、分割磁性体とギャップとの当接部の外周に接着剤を付与することにより、磁性体とギャップとを接着する構成であるため、当接部に接着剤が介挿されることによる接着剤の厚み誤差の影響によるギャップ長誤差を取り除くことができ、その結果コアのインダクタンスのばらつきを抑制できる。
【００２６】
また、ギャップの断面サイズが、その両側の分割磁性体の端面のサイズよりも大きく設定されているため、分割磁性体とキャップとの当接部においてギャップの外縁部が両側の分割磁性体の外方に張り出す構成とでき、これによってギャップと分割磁性体との当接部近傍における接着剤の接着面積を拡大することができ、その結果接着が容易になり、接着強度も高くなる。
【００２７】
請求項６に記載の発明によれば、コイルが、断面形状が略平角形の線材がエッジワイズに巻回されて構成されたものであるため、コイルの占積率の向上が図れる。
【００２８】
また、エッジワイズ巻きにより隙間なくコイル線材が巻回されているため、コイルをギャップ介挿部の外周に設けることにより、ギャップ介挿部からの周辺への漏れ磁束を低減できる。
【００２９】
請求項７に記載の発明によれば、分割磁性体が成形容易な略Ｊ形の平面形状を有しているため、分割磁性体を容易にプレス成形することができる。
【００３０】
請求項８に記載の発明によれば、圧粉磁性材料としてナノ結晶材料を用いているため、低透磁率かつ低保磁力のコアを容易に形成することができる。
【００３１】
請求項９に記載の発明によれば、材料の選択により透磁率の調節が比較的容易な圧粉磁性材料を用いてコアを形成することにより、ギャップのないコアを形成しているため、ギャップに起因する諸問題（漏れ磁束、高コスト化、騒音等）を解消することができる。
【００３２】
また、コアが環状に連なった環状体を周方向の２箇所で分割してなる２つの分割磁性体によって構成されているため、コアの構成部品を減らすことができ、コアの組み立て等も簡単に行うことができる。
【００３３】
請求項１０に記載の発明によれば、材料の選択により透磁率の調節が比較的容易な圧粉磁性材料を用いてコアの磁性体部分を形成することにより、ギャップ挿入箇所を１又は２箇所に抑制したコアを形成しているため、ギャップに起因する諸問題（漏れ磁束、高コスト化、騒音等）を低減することができる。
【００３４】
また、コアの磁性体部分が環状に連なった環状体を周方向の２箇所で分割してなる２つの分割磁性体によって構成されているため、コアの構成部品を減らすことができ、コアの組み立て等も簡単に行うことができる。
【００３５】
また、ギャップの厚みを調節することにより、コアの透磁率の調節を容易に行うことができる。
【発明を実施するための最良の形態】
【００３６】
＜第１実施形態＞
図１は本発明の第１実施形態に係るリアクトルの平面図であり、図２はそのリアクトルを分解した状態の図である。このリアクトル１は、図１及び図２に示すように、略トロイダル形状（例えば、略矩形トロイダル形状）のコア３と、コア３の外周に設けられたコイル５，７とを備えて構成されており、ハイブリッド車又は電気自動車（ハイブリッド車も含む）の駆動用の電源系統に用いられる。
【００３７】
コア３は、環状に連なった環状体を周方向の２箇所で分割したような形態を有する２つの分割磁性体１１，１３を備え、その２つの分割磁性体１１，１３を環状に接着剤により接合して構成されており、ギャップを介挿しない構成となっている。本実施形態では、分割磁性体１１，１３は、略Ｊ形の同一の平面形状を有している。接着剤は、例えば分割磁性体１１，１３の互いに当接する端面に付与されるようになっている。
【００３８】
分割磁性体１１，１３の材料としては、低透磁率及び低保磁力を実現すべく、また成形容易性の観点から圧粉磁性材料が用いられている。ここで、低透磁率は、ハイブリッド車等の駆動電源系統の高出力により、コア３が磁気飽和しないようにするために必要な特性である。また、低保磁力は、コア３の鉄損（ヒステリシス損）を抑制するために必要な特性である。例えば、コア３は、透磁率の観点からは、その比透磁率μrが次の関係式（１）を満たすように材料及びギャップ挿入数（本実施形態では、ギャップは挿入しない）が決定される（例えば、μrの値は３０程度に設定される）。なお、式（１）において、ｌはコア３の磁路長であり、Ｌはリアクトル１のインダクタンスであり、μ0は真空の透磁率であり、Ｎはコイル５，７の巻数であり、Ｓはコア３の断面積である。
【００３９】
【数１】
2006344868.tif 000003
【００４０】
圧粉磁性体とは、金属磁性粉末、又は所定の絶縁被膜で覆った金属磁性粉末を樹脂で結合したものであり、圧粉磁性材料を所定の成型用の型に充填して加圧、圧縮した後、加熱処理することにより形状形成される。このため、圧粉磁性体は、成形が容易であるという利点と、材料選択の自由度により磁気特性（透磁率及び保磁力等）の制御が容易であるという利点がある。
【００４１】
また、低透磁率及び低保磁力を実現する圧粉磁性材料の具体例としては、金属磁性粉末にナノ結晶材料（特に異方性ナノ結晶材料）を用いたもの、圧粉磁性体中の金属粒子間の絶縁膜（又は絶縁層）の膜厚を隣合う粒子内の磁気モーメント同士の相互作用が働かない距離を保持する極薄膜（例えば、膜厚を１０ｎｍ〜１μｍにする）にしたもの、及び結合用の樹脂材料の割合を増加させたものなどが考えられる。なお、絶縁材料としては、高電気抵抗を示し、かつ変形追従性のよい非結晶材料（ガラス、リン酸塩、ホウ酸塩、ケイ酸塩等）が挙げられる。
【００４２】
ナノ結晶材料は、結晶サイズがナノサイズになっている金属磁性粉末であり、組成的には、強磁性元素（Fe,Co,Ni等）と、アモルファス化促進元素（O,N,B,Nb等）と、アモルファス化促進元素と化合しやすい元素（Si,Al,希土類等）との組合せ材となっている。異方性を大きくして、透磁率を下げるには、(Fe-Co)-(Si,B）の組み合わせにおいてFeに対するCoの比率を大きくすることがあげられる。ナノ結晶材料の製造は、急冷法（アトマイズ、メルトスパン）で作製した非結晶粉末又は薄帯を熱処理するときに結晶サイズがナノサイズになるように調整する方法が一般的である。具体的な材料例としては、例えば日立金属のファインメット（Fe-Si-B-Nb-Cu）（商品名）等があげられる。
【００４３】
圧粉磁性材料に異方性ナノ結晶材料を用いることで低透磁率の分割磁性体１１，１３が形成できる点（原理等）については、通常の磁性材料と同様に、磁気異方性を増大させることにより低透磁率を実現している。ただし、通常の磁性材料では磁気異方性が大きくなるにつれて保磁力も増大するのであるが、ナノ結晶材料ではその結晶粒径の特殊性により高異方性でかつ低保磁力が実現できるようになっている。より詳細には、ナノ結晶はアモルファスと異なって結晶構造が存在するため、磁気異方性を発揮し、その磁気異方性を大きくすることで低透磁率が実現できるようになっている。また、通常保磁力は結晶粒径が小さくなってゆくのに伴って増大するが、１００ナノ以下の微細な結晶粒径になると、粒径が小さいほど保磁力が小さくなる傾向に変わるため、この領域に結晶粒径を設定することにより低保磁力を実現している。
【００４４】
また、圧粉磁性体中の金属粒子間の絶縁膜（又は絶縁層）の膜厚を極薄膜にすることで低透磁率及び低保磁力を実現できる点（原理等）については、絶縁膜の膜厚を金属粒子同士の接触点（絶縁の破壊点）を抑制しつつ極薄化（反磁界の影響が無視できる程度に薄くする）すること、金属粒子同士の接触点が減ることにより低透磁率が実現し、反磁界の影響を抑制することにより低保磁力が実現できるようになっている。
【００４５】
コイル５，７は、図３に示すように、断面が略平角形の線材１５をエッジワイズに巻回して形成されており、図２に示すように一連の線材１５により形成されている。また、コイル５，７は、コア３の互いに平行に対向する直線部分３ａ，３ｂに、分割磁性体１１，１３の接合部を外囲するようして外装されている。
【００４６】
このようなリアクトル１の組み立ては、次のようにして行われる。すなわち、図４に示すように、片方の分割磁性体１３にコイル４，７を外装した状態で、分割磁性体１１，１３同士を接着剤で接合することにより行われる。
【００４７】
以上のように、本実施形態によれば、材料の選択により透磁率の調節が比較的容易な圧粉磁性材料を用いてコア３の分割磁性体１１，１３を形成することにより、ギャップのないコア３を形成しているため、ギャップに起因する諸問題（漏れ磁束、高コスト化、騒音等）を解消することができる。
【００４８】
また、コア３が環状に連なった環状体を周方向の２箇所で分割してなる２つの分割磁性体１１，１３によって構成されているため、コア３の構成部品を減らすことができ、コア３の組み立て等も簡単に行うことができる。
【００４９】
また、分割磁性体１１，１３が成形容易な略Ｊ形の平面形状を有しているため、分割磁性体１１，１３を容易にプレス成形することができる。
【００５０】
また、コイル５，７が、断面形状が略平角形の線材１５がエッジワイズに巻回されて構成されたものであるため、コイル５，７の占積率の向上が図れる。
【００５１】
また、コア３の分割磁性体１１，１３の圧粉磁性材料として異方性ナノ結晶材料等を用いていることにより、低透磁率かつ低保磁力のコア３を容易に形成することができる。
【００５２】
＜第２実施形態＞
図５は、本発明の第２実施形態に係るリアクトルのコアを分解した状態の図である。本実施形態に係るリアクトル１が上述の第１実施形態に係るリアクトル１と実質的に異なる点は、分割磁性体１１，１３の接合部の形態が異なる点のみであり、互いに対応する部分には同一の参照符号を付す。
【００５３】
本実施形態では、図５に示すように、２つの分割磁性体１１，１３が互いに当接される接合端部１１ａ，１１ｂ，１３ａ，１３ｂのうちの一方の分割磁性体１３の接合端部１３ａ，１３ｂには、略ツバ状に外方に張り出すツバ部２１，２３が一体に形成されている。なお、本実施形態では、ツバ部２１，２３の両方を接合端部１３ａ，１３ｂ側に設けたが、そのいずれか一方又は両方を接合端部１１ａ，１１ｂ側に設けてもよい。
【００５４】
分割磁性体１１，１３の接合は、図６に示すように、接合端部１１ａ，１１ｂの端面と接合端部１３ａ，１３ｂの端面とを当接させた状態で、その当接部の外周に接着剤２５を付与することにより行われる。このとき、ツバ部２１，２３の接合端部１１ａ，１１ｂ側の面と、接合端部１１ａ，１１ｂの外周面とが直角に交わる部分に接着剤２５を付与することにより、接着剤２５の接着面積を有効に拡大することができるようになっている。
【００５５】
以上のように、本実施形態によれば、上述の第１実施形態とほぼ同様な効果が得られるとともに、分割磁性体１１，１３の当接部の外周に接着剤２５を付与することにより、分割磁性体１１，１３同士を接着する構成であるため、当接部に接着剤２５が介挿されることによる接着剤２５の厚み誤差の影響によるインダクタンスのばらつきを抑制できる。
【００５６】
また、分割磁性体１１，１３の接合部におけるツバ部２１，２３の接合端部１１ａ，１１ｂ側の面と、接合端部１１ａ，１１ｂの外周面とが直角に交わる部分に接着剤２５を付与することにより、当接部の外周近傍における接着剤２５の接着面積を有効に拡大することができ、その結果接着が容易になり、接着強度も高くなる。
【００５７】
＜第３実施形態＞
図７は、本発明の第３実施形態に係るリアクトルのコアを分解した状態の図である。本実施形態に係るリアクトル１が上述の第１実施形態に係るリアクトル１と実質的に異なる点は、分割磁性体１１，１３の接合部にギャップ３１，３３を介挿する点のみであり、互いに対応する部分には同一の参照符号を付す。なお、本実施形態では２つのギャップ３１，３３を介挿する構成であるが、１つのギャップ３１又は３３を介挿する構成としてもよい（これに応じて、いずれか一方の分割磁性体１１，１３のいずれか一方の直線部分の長さ寸法を対応させる必要がある）。
【００５８】
本実施形態では、図７に示すように、コア３を構成する分割磁性体１１，１３の接合部に略板状のギャップ３１，３３がそれぞれ介挿されている。ギャップ３１，３３の材料としては、アルミナ等の非磁性体材料が用いられる。
【００５９】
以上のように、本実施形態によれば、材料の選択により透磁率の調節が比較的容易な圧粉磁性材料を用いてコア３の磁性体部分を形成することにより、ギャップ挿入箇所を２箇所に抑制したコア３を形成しているため、ギャップ３１，３３に起因する諸問題（漏れ磁束、高コスト化、騒音等）を低減することができる。
【００６０】
また、ギャップ３１，３３の厚みを調節することにより、コア３の透磁率の調節を容易に行うことができる。
【００６１】
また、コア３の磁性体部分が環状に連なった環状体を周方向の２箇所で分割してなる２つの分割磁性体１１，１３によって構成されているため、コア３の構成部品を減らすことができ、コア３の組み立て等も簡単に行うことができる。
【００６２】
また、分割磁性体１１，１３が成形容易な略Ｊ形の平面形状を有しているため、分割磁性体１１，１３を容易にプレス成形することができる。
【００６３】
また、ギャップ３１，３３がコア３のコイル５，７によって覆われる部分に介挿されているため、ギャップ介挿部での漏れ磁束を効果的に抑制することができる。
【００６４】
また、コイル５，７が、断面形状が略平角形の線材１５がエッジワイズに巻回されて構成されたものであるため、コイル５，７の占積率の向上が図れる。
【００６５】
また、コイル４，７が隙間なく密に巻回されているため、コイル５，７によるギャップ介挿部での漏れ磁束に対するシールド効果を高めることができる。
【００６６】
また、コア３の分割磁性体１１，１３の圧粉磁性材料として異方性ナノ結晶材料等を用いていることにより、低透磁率かつ低保磁力のコア３を容易に形成することができる。
【００６７】
＜第４実施形態＞
図８は、本発明の第４実施形態に係るリアクトルのコアの要部を拡大して示す断面図である。本実施形態に係るリアクトル１が上述の第３実施形態に係るリアクトル１と実質的に異なる点は、コア３のギャップ介挿部の形態が異なる点のみであり、互いに対応する部分には同一の参照符号を付す。
【００６８】
本実施形態では、図８に示すように、ギャップ３１，３３の断面サイズが、その両側の分割磁性体１１，１３の端面のサイズよりも大きく設定されている。そして、各ギャップ介挿部において、ギャップ３１，３３の外縁部が両側の分割磁性体１１，１３の外周から外方にツバ状に張り出すように配置され、そのギャップ３１，３３の張出部の両側の各面と、両側の分割磁性体１１，１３の端部外周面とが直角に交わる部分に接着剤２５が付与されて、ギャップ３１，３３とその両側の分割磁性体１１，１３とが接着されている。このため、各ギャップ３１，３３と各分割磁性体１１，１３との当接部近傍における接着剤２５の接着面積が拡大されている。
【００６９】
以上のように、本実施形態によれば、上述の第３実施形態とほぼ同様な効果が得られるとともに、分割磁性体１１，１３とギャップ３１，３３との当接部の外周に接着剤２５を付与することにより、分割磁性体１１，１３とギャップ３１，３３とを接着する構成であるため、当接部に接着剤２５が介挿されることによる接着剤２５の厚み誤差の影響によるインダクタンスのばらつきを抑制できる。
【００７０】
また、接着剤２５がギャップ３１，３３の張出部の両側の各面と、両側の分割磁性体１１，１３の端部外周面とが直角に交わる部分に接着剤２５が付与されるため、各ギャップ３１，３３と各分割磁性体１１，１３との当接部近傍における接着剤２５の接着面積を有効に拡大することができ、その結果接着が容易になり、接着強度も高くなる。
【００７１】
＜第５実施形態＞
図９は、本発明の第５実施形態に係るトランスの平面図である。このトランス４１は、図９に示すように、コア３と、そのコア４３の外周に設けられた１次側コイル４５及び２次側コイル４７とを備えて構成されている。コア４３は、上述の第１ないし第４実施形態のいずれかのコア３と実質的に同様な構成のものが用いられる。また、コイル４５，４７には、上述の各実施形態とほぼ同様に平角線をエッジワイズに巻回したものが用いられている。
【００７２】
このため、本実施形態のトランス３においても上述の各実施形態とほぼ同様な効果が得られる。
【図面の簡単な説明】
【００７３】
【図１】本発明の第１実施形態に係るリアクトルの平面図である。
【図２】図１のリアクトルを分解した状態の図である。
【図３】コイルの斜視図である。
【図４】図１のリアクトルの組立工程を示す図である。
【図５】本発明の第２実施形態に係るリアクトルのコアを分解した状態の図である。
【図６】図５のコアの要部を拡大して示す断面図である。
【図７】本発明の第３実施形態に係るリアクトルのコアを分解した状態の図である。
【図８】本発明の第４実施形態に係るリアクトルのコアの要部を拡大して示す断面図である。
【図９】本発明の第５実施形態に係るトランスの平面図である。
【符号の説明】
【００７４】
１  リアクトル
３  コア
５，７  コイル
１１，１３  分割磁性体
２１，２３  ツバ部
２５  接着剤
３１，３３  ギャップ
４１  トランス
４３  コア
４５  １次側コイル
４７  ２次側コイル
【図１】
2006344868.tif 000004
【図２】
2006344868.tif 000005
【図３】
2006344868.tif 000006
【図４】
2006344868.tif 000007
【図５】
2006344868.tif 000008
【図６】
2006344868.tif 000009
【図７】
2006344868.tif 000010
【図８】
2006344868.tif 000011
【図９】
2006344868.tif 000012